(57)【特許請求の範囲】
【請求項１】
雨樋を支持可能な樋掛止部を設け、且つ、進退調節可能な樋支持具本体と、
上記樋支持具本体と連結可能な連結部を先端側に形成し、且つ、基端側には、軒先等の取付面に埋設可能な埋込部を形成した棒状の固定杆とから成り、
上記固定杆の連結部には、その先端から基端に向けてボルト状の螺子部が形成されている一方、上記樋支持具本体の基端側には、前後方向に貫通する丸孔を有し、該丸孔の内面に螺子溝を形成した被連結部が２箇所に形成されており、
上記固定杆の埋込部を、軒先等の取付面の適所に埋設して当該固定杆を略水平状態に固定し、上記固定杆の連結部に樋支持具本体の被連結部を螺合させて進退調節し、所望の螺合位置で樋支持具本体と固定杆とを一体化させて固定し、上記樋掛止部に雨樋を掛止させて支持するようにしている雨樋支持具。
【請求項２】
雨樋を支持可能な樋掛止部を設け、且つ、進退調節可能な樋支持具本体と、
上記樋支持具本体と連結可能な連結部を先端側に形成し、且つ、基端側には、軒先等の取付面に埋設可能な埋込部を形成した棒状の固定杆と、
バネ板を折り畳んで外方に弾性付勢させた両バネ片に、固定杆を貫通する貫通孔部を形成したストッパー体とから成り、
上記固定杆の連結部には、その先端から基端に向けてボルト状の螺子部が形成されている一方、上記樋支持具本体の基端側には、前後方向に貫通する丸孔を有した被連結部が２箇所に形成さており、
上記固定杆の埋込部を、軒先等の取付面の適所に埋設して当該固定杆を略水平状態に固定し、上記ストッパー体を上記樋支持具本体の２箇所の被連結部間に配して、上記固定杆の連結部に樋支持具本体の被連結部とストッパー板の貫通孔部を貫通させて進退調節し、所望の螺合位置で樋支持具本体と固定杆とを一体化させて固定し、上記樋掛止部に雨樋を掛止させて支持するようにしている雨樋支持具。
【請求項３】
請求項１または２において、
上記固定杆は、丸棒状に形成されている雨樋支持具。
【請求項４】
請求項１〜３の何れかにおいて、
上記固定杆の埋込部にはその基端を鋭利にした鋭利部を形成していると共に、上記固定杆の連結部の先端には叩打頭部又は螺子頭部を形成している雨樋支持具。
【発明の詳細な説明】
【０００１】
【発明の属する技術分野】
本発明は、軒先等に取付ける雨樋支持具に関し、詳しくは、雨樋を支持可能であって、進退調節可能な樋支持具本体と、この樋支持具本体を軒先等に取付ける棒状の固定杆とから成る雨樋支持具に関する。
【０００２】
【従来の技術】
図５は、従来の雨樋支持具を示す分解斜視図である。
【０００３】
この雨樋支持具１００は、雨樋Ｔを支持可能であって、前、後に進退調節可能な樋支持具本体１０１と、この樋支持具本体１０１に連結する取付杆１０２と、この取付杆１０２を軒先等に固定する取付座板１０３とから成る。
【０００４】
樋支持具本体１０１は、基板１１１の前、後に樋掛止部１２１、１２１を形成し、その基板１１１の中央に長孔１３１を形成している。
【０００５】
取付杆１０２は、上下に伸びた固着片１１２の上端から前方に向けて略直角に足杆１２２を延設し、その足杆１２２の前方には、段落ち形成した連結片部１３２を形成しており、この連結片部１３２には、貫通孔１４２を形成している。
【０００６】
そして、取付杆１０２の貫通孔１４２と、樋支持具本体１０１の長孔１３１を重合させ、上方からボルト１０４を貫通したうえで、その下端にバネワッシャ１０５を嵌挿して蝶ナット１０６を螺合することで、樋支持具本体１０１を前、後に進退調節可能にすると共に、取付杆１０２に連結している。
【０００７】
取付座板１０３は、ネジ、釘等を貫通する取付孔１１３を適所に形成した取付板１２３の中央に、上下方向の固着溝１３３を形成し、この固着溝１３３に、取付杆１０２の固着片１１２を嵌合させてリベット等で固着し、この取付座板１０３を、軒先等の適所にネジ、釘等で固定し、樋支持具本体１０１を略水平に固定し、その樋掛止部１２１、１２１に雨樋Ｔを掛止するのである。
【０００８】
なお、この雨樋支持具１００には、図例の他にも種々のものがあり、これに限定するものではない。
【０００９】
【発明が解決しようとする課題】
図６（ａ）、（ｂ）は、従来の雨樋支持具の取付状態を示す概略側面図である。
【００１０】
この雨樋支持具１００は、図６（ａ）で示すように、軒先等の取付面Ｎに取付座板１０３を固定しているが、この取付面Ｎは、必ずしも垂直に形成されているものではなく、例えば、図６（ｂ）に示すような傾斜した取付面Ｎも多種類存在する。
【００１１】
このような傾斜した取付面Ｎでは、固定された取付座板１０３の固着溝１３３に、取付杆１０２の固着片１１２を嵌合固着すれば、樋支持具本体１０１を略水平に固定できずに傾斜した状態となるため、固着片１１２の上端から前方に向けて、取付面Ｎの傾斜に合わせた鈍角（又は鋭角）な足杆１２２を延設した取付杆１０２が必要となる。
【００１２】
したがって、従来の雨樋支持具１００では、取付面Ｎの傾斜状態などに対応させた多種類の取付杆１０２を必要とし、施工現場に数種類の取付杆１０２を用意して行かなければならないという問題があった。
【００１３】
また、取付杆１０２と取付座板１０３とは、別成形された二つの部材であるため、部品点数を削減したいという要望もある。
【００１４】
本発明は、かかる課題を解決することを目的とするもので、取付座板を不要にでき、しかも、取付面の状態に関係なく、１種類の固定杆だけで樋支持具本体を水平状態に固定できる雨樋支持具を提供する。
【００１５】
【課題を解決するための手段】
上記目的を達成するため、
請求項１に係る雨樋支持具は、雨樋を支持可能な樋掛止部を設け、且つ、進退調節可能な樋支持具本体と、上記樋支持具本体と連結可能な連結部を先端側に形成し、且つ、基端側には、軒先等の取付面に埋設可能な埋込部を形成した棒状の固定杆とから成り、上記固定杆の連結部には、その先端から基端に向けてボルト状の螺子部が形成されている一方、上記樋支持具本体の基端側には、前後方向に貫通する丸孔を有し、該丸孔の内面に螺子溝を形成した被連結部が２箇所に形成されており、上記固定杆の埋込部を、軒先等の取付面の適所に埋設して当該固定杆を略水平状態に固定し、上記固定杆の連結部に樋支持具本体の被連結部を螺合させて進退調節し、所望の螺合位置で樋支持具本体と固定杆とを一体化させて固定し、上記樋掛止部に雨樋を掛止させて支持するようにしている。
【００１６】
（削除）
【００１７】
請求項２に係る雨樋支持具は、雨樋を支持可能な樋掛止部を設け、且つ、進退調節可能な樋支持具本体と、上記樋支持具本体と連結可能な連結部を先端側に形成し、且つ、基端側には、軒先等の取付面に埋設可能な埋込部を形成した棒状の固定杆と、バネ板を折り畳んで外方に弾性付勢させた両バネ片に、固定杆を貫通する貫通孔部を形成したストッパー体とから成り、上記固定杆の連結部には、その先端から基端に向けてボルト状の螺子部が形成されている一方、上記樋支持具本体の基端側には、前後方向に貫通する丸孔を有した被連結部が２箇所に形成さており、上記固定杆の埋込部を、軒先等の取付面の適所に埋設して当該固定杆を略水平状態に固定し、上記ストッパー体を上記樋支持具本体の２箇所の被連結部間に配して、上記固定杆の連結部に樋支持具本体の被連結部とストッパー板の貫通孔部を貫通させて進退調節し、所望の螺合位置で樋支持具本体と固定杆とを一体化させて固定し、上記樋掛止部に雨樋を掛止させて支持するようにしている。
【００１８】
請求項１または２では、固定杆に埋込部を形成しているので、従来の取付座板を不要とし、この固定杆を軒先等の取付面の状態に関係なく、略水平に埋設して固定できる。
【００１９】
また、これらの請求項では、樋支持具本体は、固定杆に進退調節可能に一体化させて固定できる。
【００２０】
そのため、取付面の状態に関係なく、１種類の固定杆だけで樋支持具本体を水平状態に固定できる。
【００２１】
特に請求項１では、螺子溝を形成した樋支持具本体の被連結部に螺合するだけで、樋支持具本体を簡単に前、後に進退調節して固定できる。
【００２２】
（削除）
【００２３】
請求項２では、ストッパー体の弾性力によって樋支持具本体の進退調節を規制し、樋支持具本体の位置を素早く固定できる。
【００２４】
請求項３に係る雨樋支持具は、上記固定杆が丸棒状に形成されている。
【００２５】
請求項３では、固定杆を丸棒状に形成しているので、固定杆の上面に雨水などが溜まることを防止できるうえ、固定杆を周方向の何れの向きにでも同様に埋設することができる。
【００２６】
請求項４に係る雨樋支持具は、上記固定杆の埋込部にはその基端を鋭利にした鋭利部が形成してあると共に、上記固定杆の連結部の先端には叩打頭部又は螺子頭部が形成してある。
【００２６】
請求項４では、固定杆の叩打頭部を、金槌などで叩打するだけで、埋込部の鋭利部が取付面に突き刺さって埋設し、固定杆を軒先等の取付面に略水平状態に固定できる。
【００２７】
また、固定杆の螺子頭部を、ドライバー、ラチェットなどの工具を使って捩じ込むだけで、埋込部が取付面に捩じ込まれて埋設し、固定杆を軒先等の取付面に略水平状態に固定できる。
【００２８】
（削除）
【００２９】
（削除）
【００３０】
【発明の実施の形態】
以下、本発明に係る雨樋支持具を図面に基づき説明する。
【００３１】
図１は、本発明に係る雨樋支持具の一実施例を示す斜視図である。
【００３２】
この雨樋支持具Ａは、雨樋Ｔを支持可能な樋掛止部１１を設け、且つ、進退調節可能な樋支持具本体１と、この樋支持具本体１と連結する連結部２１を先端側に形成し、且つ、軒先等の取付面Ｎに埋設可能な埋込部２２を基端側に形成した棒状の固定杆２とから成る。
【００３３】
以下、各部材について詳説する。
【００３４】
樋支持具本体１は、金属材、樹脂材を加工形成した基材１２の前、後に雨樋Ｔを支持可能な樋掛止部１１、１１を備えている。
【００３５】
この基材１２及び樋掛止部１１、１１は、雨樋Ｔの形状等によって適宜形成され、図例の形状には限定されない。
【００３６】
樋支持具本体１の基端側（以下、基端側とは、取付面Ｎの側を意味する。）には、基材１２を前、後に貫通する１以上の被連結部１３を形成している。
【００３７】
本発明の実施例として、基材１２の基端側の前、後方向に貫通する２箇所の丸孔を形成し、この内面に螺子溝を形成した被連結部１３、１３を示している。なお、これ以外でも単なる貫通孔等を形成して、固定杆２に形成した連結部２１と連結して、この樋支持具本体１を前、後に進退調節することは可能である。
【００３８】
もっとも、被連結部１３を図１のように２つ形成すれば、固定杆２が樋支持具本体１を２点で支持するため、樋支持具本体１を安定して支持固定できる。
【００３９】
固定杆２は、棒状に形成され、その先端側には、樋支持具本体１と連結可能な連結部２１を形成し、且つ、基端側には、軒先等の取付面Ｎに埋設可能な埋込部２２を形成している。
【００４０】
固定杆２は、様々な形状の棒状に形成できるが、ここでは、固定杆２を丸棒状に形成している。
【００４１】
このように固定杆２を丸棒状に形成すれば、固定杆２の上面に雨水などが溜まることを防止できるうえ、固定杆２を周方向の何れの向きにでも同様に埋設することができる。
【００４２】
連結部２１は、樋支持具本体１に形成した被連結部１３と連結されるが、本実施例の連結部２１は、その先端から基端に向けてボルト状の螺子部２１ｂを有し、上記螺子溝を形成した樋支持具本体１の被連結部１３、１３に螺合させて、両者を連結固定している。
【００４３】
このような連結部２１によれば、螺子溝を形成した樋支持具本体１の被連結部１３、１３に螺合するだけで、樋支持具本体１を簡単に前、後に進退調節して固定できる。
【００４４】
一方、埋込部２２は、軒先等の取付面Ｎに埋設されるが、その埋設方法には、釘のような打ち込み式や、ネジのような捩じ込み式の何れであっても構わない。
【００４５】
例えば、打ち込み式の場合には、埋込部２２の基端を鋭利にした鋭利部２２ａを形成すると共に、連結部２１の先端に釘頭のような叩打頭部２１ａを形成した固定杆２に形成する。
【００４６】
そして、固定杆２の叩打頭部２１ａを金槌などで叩打するだけで、埋込部２２の鋭利部２２ａが取付面Ｎに突き刺さって埋設し、固定杆２を軒先等の取付面Ｎに略水平状態に固定できる。
【００４７】
また、捩じ込み式の場合には、図１で示すように埋込部２２の基端から先端側に向けて螺旋状のネジ山部２２ｂを形成すると共に、連結部２１の先端に樋支持具本体１の被連結部１３を貫通する角柱状の螺子頭部２１ａを形成した固定杆２に形成する。
【００４８】
なお、この螺子頭部２１ａの端面に＋又は−の凹所を形成することもできる。
【００４９】
そして固定杆２の螺子頭部２１ａをドライバー、ラチェットなどの工具を使って捩じ込むだけで、埋込部２２のネジ山部２２ｂが取付面Ｎに捩じ込まれて埋設し、固定杆２を軒先等の取付面Ｎに略水平状態に固定できる。
【００５０】
なお、取付面Ｎに固定杆２の埋込部２２をアンカーボルト等（不図示）の構成で埋設することもできる。
【００５１】
図２は、本発明に係る雨樋支持具の取付状態を示す概略側面図であり、（ａ）は、本発明に係る雨樋支持具Ａを垂直な取付面Ｎに取り付けた状態の概略側面図、（ｂ）は、本発明に係る雨樋支持具Ａを傾斜した取付面Ｎに取り付けた状態の概略側面図を各々示している。
【００５２】
上記のように構成した雨樋支持具Ａは、以下の要領で軒先等の取付面Ｎに略水平状態に固定できる。
【００５３】
先ず、固定杆２の埋込部２２を、軒先等の取付面Ｎの適所に、打ち込み、或いは、捩じ込み等によって当該固定杆２を略水平状態に維持しながら埋設し、これを固定する。
【００５４】
次に、樋支持具本体１の被連結部１３を、固定された固定杆２の連結部２１に螺合し、この樋支持具本体１を基端側に捩じ込んで、両者を連結する。
【００５５】
このとき、樋支持具本体１を一方に廻せば基端側に前進し、他方に廻せば後退するので、この樋支持具本体１の前、後位置を進退調節できる。
【００５６】
そして、所望の位置で樋支持具本体１の捩じ込み等を止めれば、両者を一体化させて固定できる。
【００５７】
このように固定した樋支持具本体１の樋掛止部１１、１１に、雨樋Ｔの耳部を掛止し、これを支持するのである。
【００５８】
本発明に係る雨樋支持具Ａによれば、固定杆２に埋込部２２を形成しているので、従来の取付座板を不要とし、その部品点数を省略することができる。
【００５９】
また、固定杆２は、軒先等の取付面Ｎの状態に関係なく、略水平状態に埋設して固定できると共に、この固定杆２に樋支持具本体１を進退調節可能に一体化させて固定できる。
【００６０】
そのため、取付面Ｎの状態に関係なく、１種類の固定杆だけで樋支持具本体１を水平状態に固定できる。
【００６１】
図３は、本発明に係る雨樋支持具の参考例を示す斜視図である。
【００６２】
なお、図１、２と共通する部位には、共通の符号を付し、その説明を省略している。
【００６３】
この雨樋支持具Ａでは、進退調節された樋支持具本体１の位置を、ナット３、３によって固定している。
【００６４】
図３で示すように、樋支持具本体１の被連結部１３を、前後方向に貫通する丸孔に形成すると共に、固定杆２の連結部２１にボルト状の螺子部２１ｂを形成すると共に、これに一方のナット３を所望位置に螺合しておき、この連結部２１を樋支持具本体１の被連結部１３に貫通させて樋支持具本体１を進退調節した後、さらに固定杆２の連結部２１に他方のナット３を締め付けて両者を固定している。
【００６５】
このような雨樋支持具Ａによれば、ボルト状に形成した連結部２１にナット３、３を締め付けるだけで、樋支持具本体１の位置を確実に固定できる。
【００６６】
なお、上記ナットは図示に限らず蝶ナット等でもよい。
【００６７】
図４は、本発明に係る雨樋支持具の他の実施例を示す斜視図である。
【００６８】
なお、図１〜３と共通する部位には、共通の符号を付し、その説明を省略している。
【００６９】
この雨樋支持具Ａでは、進退調節された樋支持具本体１の位置を、ストッパー体４によって固定している。
【００７０】
このストッパー体４は、バネ板を折り畳んで外方に弾性付勢させた両バネ片４１、４１に、固定杆２を貫通する貫通孔部４２、４２を形成したものである。
【００７１】
このように形成したストッパー体４を、図示したように、樋支持具本体１の２箇所の被連結部１３、１３の間に位置付け、その貫通孔部４２、４２にも固定杆２の連結部２１を貫通させて、樋支持具本体１と固定杆２とを連結する。
【００７２】
そして、ストッパー体４の両バネ片４１、４１を内方に押圧しながら樋支持具本体１を上記同様に進退調節し、所望の位置となったときに、両バネ片４１、４１を離せば、その付勢力によって、両バネ片４１、４１が外方に開放して樋支持具本体１の進退調節を規制できる。
【００７３】
尚、ストッパー体４は、図示のものに限られず、バネ付勢を使って樋支持具本体１の進退調節を規制できれば採用できる。
【００７４】
このような雨樋支持具Ａによれば、ストッパー体４の弾性力によって樋支持具本体１の進退調節を規制し、樋支持具本体１の位置を素早く固定できる。
【００７５】
【発明の効果】
本発明によれば、次のような効果がある。
【００７６】
請求項１、２に係る雨樋支持具によれば、固定杆に埋込部を形成しているので、従来の取付座板を不要とし、その部品点数を省略することができる。
【００７７】
又、施工においても取付座板が不要になるため、その取付座板を固定するためのネジ、釘等も不要になる。
【００７８】
また、固定杆は、軒先等の取付面Ｎの状態に関係なく、略水平状態に埋設して固定できると共に、この固定杆に樋支持具本体を進退調節可能に一体化させて固定できる。
【００７９】
そのため、取付面の状態に関係なく、１種類の固定杆だけで樋支持具本体を水平状態に固定できる。
【００８０】
特に請求項１に係る雨樋支持具によれば、螺子溝を形成した樋支持具本体の被連結部に螺合するだけで、樋支持具本体を簡単に前、後に進退調節して固定できる。
【００８１】
（削除）
【００８２】
請求項２に係る雨樋支持具によれば、ストッパー体の弾性力によって樋支持具本体の進退調節を規制し、樋支持具本体の位置を素早く固定できる。
【００８３】
請求項３に係る雨樋支持具によれば、固定杆を丸棒状に形成しているので、固定杆の上面に雨水などが溜まることを防止できるうえ、固定杆を周方向の何れの向きにでも同様に埋設することができる。
【００８４】
請求項４に係る雨樋支持具によれば、固定杆の叩打頭部を金槌などで叩打するだけで、埋込部の鋭利部が取付面に突き刺さって埋設し、固定杆を軒先等の取付面に略水平状態に固定できる。
【００８５】
また、固定杆の螺子頭部を、ドライバー、ラチェットなどの工具を使って捩じ込むだけで、埋込部が取付面に捩じ込まれて埋設し、固定杆を軒先等の取付面に略水平状態に固定できる。
【図面の簡単な説明】
【図 １】本発明に係る雨樋支持具の一実施例を示す斜視図である。
【図 ２】本発明に係る雨樋支持具の取付状態を示す概略側面図である。
【図 ３】本発明に係る雨樋支持具の参考例を示す斜視図である。
【図 ４】本発明に係る雨樋支持具の他の実施例を示す斜視図である。
【図 ５】従来の雨樋支持具を示す分解斜視図である。
【図 ６】（ａ）、（ｂ）は、従来の雨樋支持具の取付状態を示す概略側面図である。
【符号の説明】
Ａ      雨樋支持具
Ｔ      雨樋
Ｎ      軒先等の取付面
１      樋支持具本体
１１    樋掛止部
１３    被連結部
２      固定杆
２１    連結部
２１ａ  叩打頭部又は螺子頭部
２１ｂ  螺子部
２２    埋込部
２２ａ  鋭利部
２２ｂ  ネジ山部
３      ナット
４      ストッパー体
【図１】
0004625577.tif 000002
【図２】
0004625577.tif 000003
【図３】
0004625577.tif 000004
【図４】
0004625577.tif 000005
【図５】
0004625577.tif 000006
【図６】
0004625577.tif 000007